(57)【要約】【課題】建物の開口部に設けられる窓面に沿って抗菌・防汚処理を施した遮光スクリーンを付設した面格子を提供する。【解決手段】建物の開口部１１に設けた窓の表面に沿って遮光スクリーン１７を配してなる遮光スクリーン付き面格子において、上記遮光スクリーン１７の表面にチタンの酸化物を主剤とする光触媒層を形成するものであり、上記光触媒層として例えば、ペルオキソチタン酸溶液とスメクタイトとの合成液からなる粘調性ペルオキソチタン酸溶液を挙げることができる。【選択図】図１
2009121212.tif 000002
【特許請求の範囲】
【請求項１】
建物の開口部（１１）に設けた窓の表面に沿って遮光スクリーン（１７）を配してなる遮光スクリーン付き面格子において、上記遮光スクリーン（１７）の表面にチタンの酸化物を主剤とする光触媒層を形成したことを特徴とする遮光スクリーン付き面格子。
【請求項２】
建物の開口部（１１）に設けた窓と面格子（１６）との間に遮光スクリーン（１７）を配し、上記遮光スクリーン（１７）にはためきを抑える手段（２１）を着脱自在に取り付けた遮光スクリーン付き面格子において、上記遮光スクリーン（１７）の表面に酸化チタンを主剤とする光触媒層を形成したことを特徴とする遮光スクリーン付き面格子。
【請求項３】
上記光触媒層は、ペルオキソチタン酸溶液とスメクタイトとの合成液からなる粘調性ペルオキソチタン酸溶液であることを特徴とする請求項１または２に記載の遮光スクリーン付き面格子。
【請求項４】
上記光触媒層は、酸化チタンゾルとスメクタイトとの合成液であることを特徴とする請求項１または２に記載の遮光スクリーン付き面格子。
【請求項５】
上記酸化チタンゾルが次の（ａ）または（ｂ）のいずれかであることを特徴とする請求項４に記載の遮光スクリーン付き面格子。
（ａ）  ペルオキソ改質アナターゼゾルを主剤とする粘調性ペルオキソ改質アナターゼゾル。
（ｂ）  ペルオキソチタン酸溶液とペルオキソ改質アナターゼゾルとの混合液。
【請求項６】
上記スメクタイトが、合成スメクタイトであることを特徴とする請求項３乃至５のいずれかに記載の遮光スクリーン付き面格子。
【請求項７】
上記ペルオキソチタン酸溶液とスメクタイトからなる粘調性ペルオキソチタン酸溶液で下地層を形成し、その上に酸化チタン被膜を形成したことを特徴とする請求項１乃至６のいずれかに記載の遮光スクリーン付き面格子。
【発明の詳細な説明】
【技術分野】
【０００１】  この発明は、建物の開口部に設けられる遮光スクリーン付き面格子に関する。
【背景技術】
【０００２】  太陽光が差し込むのを防ぐために窓にカーテンやブラインドが設けられるが、早稲田大学理工学部木村研究室の報告によると、窓にブラインドを設けていない部屋のエアコンの稼働率を１００％として、窓の内側にブラインドを設けた場合は７４％、窓の外側にオーニング（日差しを遮るためのテント状ひさし）を設けた場合は３３％である（２００２年８月、岐阜県安八郡神戸町の西向きの部屋）としている。【０００３】  従って、遮光効果を上げるには窓の外側に遮光手段を設けるのが効果的であるといえるが、これまで窓の外側にブラインドや遮光スクリーンを設けた例、とりわけ窓と面格子との間に遮光スクリーンを設けた商品は見られず、かろうじて特許庁電子図書館に収録されているデーターの中から特許文献１を見ることができた。【０００４】
【特許文献１】特開２００１−０６５２７３号公報（要約および選択図面）
【０００５】  上記のように特許庁電子図書館に収録されたデーターのなかから先行技術が見られたにも拘わらず実用化されていない理由は、窓の外側に遮光スクリーンを設けた場合、風によって遮光スクリーンがはためき、ガラス窓を叩いて煩くなること、面格子と窓ガラスとの間に遮光スクリーンを設けると、その取り外しが難しく掃除が困難であるなどの理由からであると考えられる。【０００６】  そこで本発明者らは特願２００６−３０４５６９で、「建物の開口部１１に設けた窓と面格子との間に遮光スクリーン１７を配した遮光面格子において、上記遮光スクリーン１７にはためきを抑える手段２１を着脱自在に取り付け、上記遮光スクリーン１７のはためきを抑える手段２１として次のもの、即ち（ａ）上下に配した横桟４８の間に複数の縦桟４９を、接続部で回動可能に亘設して平行四辺形状態で変形可能にしたもの、（ｂ）ターンオーパー形アクチュエーター構造を採用したもの、（ｃ）外筒４６にロッド４７を摺動可能に嵌め合わせ、内部にスプリング４５を配して伸長方向に付勢したもののいずれかを採用したもの」を提案した。
【発明の開示】
【０００７】  ところが上記提案を行った後に幾つかのユーザーから新たな課題が提起された。それは、ここまでするのであれば、遮光スクリーンに抗菌あるいは防汚処理をすればもっと良くなるのではないかというものであった。
【０００８】  そこで先行技術を調査したところ窓の遮光手段に抗菌あるいは防汚処理、特にチタンの酸化物にかかる光触媒技術で抗菌・防汚処理したものはルーバー面格子においては存在するが遮光スクリーンにおいては見当たらなかった。
【０００９】  上記の状況に鑑みこの発明は、建物の開口部に設けられる窓面に沿って抗菌・防汚処理を施した遮光スクリーンを付設した面格子を提供しようとするものである。
【課題を解決するための手段】
【００１０】上記課題を解決するためにこの発明は、建物の開口部１１に設けた窓の表面に沿って遮光スクリーン１７を配してなる遮光スクリーン付き窓において、上記遮光スクリーン１７の表面にチタンの酸化物を主剤とする光触媒層を形成するものであり、その具体例として、建物の開口部１１に設けた窓と面格子との間に遮光スクリーン１７を配し、上記遮光スクリーン１７にはためきを抑える手段２１を着脱自在に取り付けた遮光スクリーン付き面格子において、上記遮光スクリーン１７の表面にチタンの酸化物を主剤とする光触媒層を形成したものを挙げることができる。
【００１１】  また、上記光触媒層は次のようなものを採用することができる。
（ａ）ペルオキソチタン酸溶液とスメクタイトとの合成液からなる粘調性ペルオキソチタン酸溶液。
（ｂ）酸化チタンゾルとスメクタイトとの合成液。
【００１２】  また、上記酸化チタンゾルは次のものを挙げることができる。
（ａ）ペルオキソ改質アナターゼゾルを主剤とする粘調性ペルオキソ改質アナターゼゾル。
（ｂ）ペルオキソチタン酸溶液とペルオキソ改質アナターゼゾルとの混合液。
【００１３】  更にまた、光触媒層の形成に当っては、上記ペルオキソチタン酸溶液とスメクタイトからなる粘調性ペルオキソチタン酸溶液で下地層を形成し、その上に酸化チタン被膜を形成すると塗膜表面に酸化チタンが顕在化して効果的である。
【発明の効果】
【００１４】  上記のごとく構成するこの発明によれば、遮光スクリーンの表面に形成した光触媒層は太陽光を受けて活性化し強力な抗菌・防汚効果を発揮する。
【発明を実施するための最良の形態】
【００１５】  次に本発明の実施の形態を説明する。実施例１の粘調性ペルオキソチタン酸溶液（下塗り用）、実施例２の粘調性ペルオキソ改質アナターゼゾル（下塗り用）、実施例１および実施例２共通の酸化チタン水溶液（上塗り用）を調整。
【実施例１】
【００１６】  下塗り層の組成物として、（株）鯤コーポレーション製ペルオキソチタン酸溶液（商品名：ＰＴＡ、固形分濃度０．８５ｗｔ％）１０００ｇと、合成スメクタイト（コープケミカル（株）製、ルーセンタイト）２０ｇとを攪拌槽に投入し、８時間攪拌して粘調性ペルオキソチタン酸溶液を調整。【００１７】  上塗り層の組成物として、（株）鯤コーポレーション製酸化チタン水溶液（商品名：ＴＰＸ、固形分濃度：０．８５ｗｔ％）を用意する。
【実施例２】
【００１８】  下塗り層の組成物として、（株）鯤コーポレーション製ペルオキソ改質アナターゼゾル（固形分濃度：０．８５ｗｔ％）１０００ｇと、合成スメクタイト（コープケミカル（株）製、ルーセンタイト）２０ｇとを攪拌槽に投入し、８時間攪拌して粘調性ペルオキソ改質アナターゼゾルを調整。【００１９】  上塗り層の組成物として、（株）鯤コーポレーション製酸化チタン水溶液（商品名：ＴＰＸ、固形分濃度：０．８５ｗｔ％）を用意する。【００２０】  上記実施例１及び２の塗料をスプレーガンにより遮光スクリーンに下塗りし十分乾燥した後、上塗りを行って光触媒層を形成した遮光スクリーンと、上記光触媒層を形成していない遮光スクリーンの表面にパイロット社製赤インキを水で２０倍に希釈したものを塗布乾燥し、それぞれを４０００ルクスの蛍光灯で１２時間照射したところ、実施例１および２のものは共に色素が分解して退色していることを確認した。一方光触媒層を形成していないものは色素の分解が認められなかった。【００２１】  なお、上記実施例では下塗りと上塗りの二層構造としたが、実施例１の粘調性ペルオキソチタン酸溶液だけの一層構造としても効果が認められる。【００２２】  また、上記説明ではスプレーガンで光触媒塗料を塗布したがローラーコーター法、ナイフコーター法など公知の塗布方法を採用することができる。この場合下塗り工程と上塗り工程のあとに熱風あるいは温風乾燥炉のごとき乾燥手段を設置する。【００２３】  次に上記光触媒処理を施した遮光スクリーンを面格子に適用した例について説明する。
【適用例１】
【００２４】  建物の開口部１１には、扉、網戸等が嵌まるレール１２を形成した窓枠１３が嵌められ、この窓枠１３の前面には面格子１６と遮光スクリーンユニット１４とはためき抑制枠２１とで構成する遮光面格子がブラケット１５を介して取り付けてある。
【００２５】  上記遮光スクリーンユニット１４は、遮光スクリーン１７を巻き上げるスプール１８を収容するハウジング１９を上部に備え、繰り出される遮光スクリーン１７の下端に取り付けた桟（４０）を案内する凹溝２０と遮光スクリーン１７のはためき抑制枠２１を嵌める凹溝２２とを形成した外枠２３とからなる。
【００２６】  上記ハウジング１９は、上記スプール１８の支持軸２４を支承するベアリング２５を両端に設け、上記スプール１８は、長い筒体２６の両端に鍔２７を有する栓２８を嵌め込み、上記長い筒体２６の内部を、軸受け構成部材２９でもって長い区画部分３０と短い区画部分３１に区画し、長い区画部分３０の端から上記軸受け構成部材２９に向けて支持軸３２を挿通し、短い区画部分３１の端から摺動支持軸３３を挿通し、この摺動支持軸３３をスプリング３４によって突き出し方向に付勢している。
【００２７】  上記長い区画部３０側に挿通し支持軸３２と上記筒体２６との間にコイルスプリング３５を装填し、その片端を筒体２６に固定し他端を支持軸３２に固定して遮光スクリーン１７を巻き上げる方向に付勢している。また、図面上の右側軸端にはテーパーコーン状カラー３６を介してラチェットホイール３７が嵌められ、このラチェットホイール３７に爪３８が掛り合いラチェットホイール３７に掛けまわされたチェン３９によりコイルスプリング３５の巻上げ力を調整可能にしている。
【００２８】  遮光スクリーン１７の下端には桟４０が取り付けられ、この桟４０の両端は外枠２３の両側内面に形成した凹溝２０に嵌まり合うスライドシュー４１が形成され、繰り出される遮光スクリーン１７を案内するようになり、桟４０の中央には引っ掛け部材４２が取り付けられ、外枠２３の下端に取り付けられた引っ掛け爪４３によって遮光スクリーン１７を最大繰り出した状態を固定するようになっている。
【００２９】  図３，図４は、窓枠１３にブラケット１５を介して遮光面格子（遮光スクリーンユニット１４）を取り付けた場合、窓枠１３と遮光面格子（遮光スクリーンユニット１４）との間に隙間ができ、その隙間から陽射しが差し込んで遮光効果が半減してしまう。これを防止するために外枠２３に遮光板５０ａ，５０ｂを嵌め込んでいる。
【００３０】  遮光板５０ａ，５０ｂの嵌め込みは、嵌め込み部５１ａ，５１ｂに遮光板５０ａ，５０ｂの縁を支点Ｐ１，Ｐ２を構成するように宛がい矢印の方向に回すと鉤部Ｋ１，Ｋ２が嵌め込み部５１ａ，５１ｂに引っ掛って完了する。なお、５２は嵌め込み部分に生ずる隙間をカバーするフェルトである。
【００３１】  上記実施例では、遮光スクリーン１７が窓枠１３の下まで繰り出されているとき、遮光スクリーン１７のはためき抑制枠２１によって押さえられるので、風が吹いてもはためくことがなく、また、遮光スクリーン１７が汚れたときは、図６の如くはためき抑制枠２１が平行四辺形に変形するのではためき抑制枠２１が外枠２３から容易に外すことができ、遮光スクリーン１７の巻き取りスプール１８の摺動支持軸３３をスプリング３４の付勢に抗して押し込むことによりハウジング１９から容易に外すことができ、ハウジング１９から外した遮光スクリーン１７の掃除・洗浄をすることができる。なお、凹溝２０の上端では切り込みＣを入れて遮光スクリーン１７の下端の横桟４０を抜き取り易くし、また、はためき抑制枠２１の両端には前記切り込みＣの目隠し片Ｂを付設している。
【適用例２】
【００３２】  実施例１では、遮光スクリーンのはためき抑制枠は、その枠を平行四辺形に変形させて外枠から外すようにしたが、この実施例では図７に示すように基枠４４に屈折点ａ，ｂ，ｃ，ｄを設け、屈折点ｂとｃを繋いでいるロッド４４ｂを二重構造とし、このロッド４４ｂ内にコイルスプリング４５を装填し、長さ方向に付勢することによりターンオーバー形のアクチユエーター構造としたものである。
【００３３】  このように構成するこの実施例ではコイルスプリング４５の付勢に抗して遮光スクリーンのはためき抑制枠２１を窓側に押し付けるとその状態が維持され、逆に押し返すとはためき抑制枠２１はフリーになって外枠２３から簡単に外すことが可能になる。
【適用例３】
【００３４】  この実施例のはためき抑制枠２１は、その縦方向の基枠４４を構成するパイプを二重構造とし、その二重構造のパイプ４６内にコイルスプリング４５を装填して、基枠４４が縦方向に伸長するように付勢し、はためき抑制枠２１を基枠４４（外枠２３に相当する）から外すことが可能になる。
【適用例４】
【００３５】  図９に示すようにこの実施例は、面格子１６の両端外枠２３とその内側の（断面Ｓ形、逆Ｓ形の）縦桟１６ａとに亘って、遮光スクリーン１７の両側縁が反り返るのを防止し、斜光を遮る反り返り防止兼斜光遮断板５６を付設したものである。このように構成することにより、遮光スクリーン１７の両側縁の反り返りを強力に抑え、斜め方向からの日差しを広く遮ることができるようになる。
【００３６】  この用に構成することにより、コイルスプリング３５により巻き戻される遮光スクリーン１７に制動力が働いて衝撃が緩和される。とりわけ遮光スクリーン１７が巻き太るに従って制動力が大きくなるので遮光スクリーン１７の下端とそれに取り付けられた桟４０への衝撃が緩和されて損傷を防止することができる。
【適用例５】
【００３７】  図１０に示すようにこの実施例は、はためき抑制枠２１の下端にピン５８を設け、外枠２３の下部にピン５８を支承する支持部材５７を取り付けて、この支持部材５７の受け溝５７ａに、上記ピン５８を嵌め入れ、このピン５８を軸にしてはためき抑制枠２１を回動可能にしている。
【００３８】  はためき抑制枠２１を直立するように回動させるとハウジング１９の鉤５９ａにはためき抑制枠２１の鉤５９ｂの傾斜面を滑って持ち上がり掛け止めされる。逆にはためき抑制枠を外すときは全体を持ち上げてピン５８を軸に回動させる。
【００３９】  この機構は、建築技術分野でいうケンドン構造の変形であるが、襖、障子等で採用される一般的なケンドン構造も適宜採用することができる。
【産業上の利用可能性】
【００４０】  以上説明したようにこの発明によれば、遮光スクリーンの表面に光触媒層を形成されて抗菌・防汚効果が発揮され、窓枠と面格子との間に遮光スクリーンを配し、その遮光スクリーンが風によってはためくことがなく、遮光スクリーンが汚れたときははためき抑制枠を外枠から外し、遮光スクリーンを巻き込んだスプールごとハウジングから外して簡単に掃除・洗浄することが可能になり、プライバシーの保護、保安の確保、安全・衛生の確保が可能となる。
【図面の簡単な説明】
【００４１】
【図１】適用例１に係る窓枠に取り付け直前の遮光面格子の縦断面図
【図２】同窓枠に取り付けられた遮光面格子の横断面図
【図３】遮光面格子の上側に嵌まる遮光板の部分拡大断面図
【図４】遮光面格子の左右両側に嵌まる遮光板の部分拡大断面図
【図５】同遮光スクリーン巻上げ構造説明図
【図６】はためき抑制枠の正面図
【図７】適用例２に係るはためき抑制枠の離脱機構説明図
【図８】適用例３に係るはためき抑制枠の離脱機構説明図
【図９】適用例４に係る反り返り防止兼斜光遮断板を取り付けた面格子の断面図
【図１０】適用例５に係る要部（ａ）縦断面図、（ｂ）斜視図
【符号の説明】
【００４２】１１  開口部
１２  リール
１３  窓枠
１４  遮光スクリーンユニット
１５  ブラケット
１６  面格子
１６ａ  縦桟（斜光遮断板用）
１７  遮光スクリーン
１７ｊ  継ぎ合わせ部
１７ｐ  遮光スクリーンの）筒状部
１８  スプール
１９  ハウジング
２０  凹溝（スクリーン案内）
２１  はためき抑制枠
２２  凹溝（はためき抑制枠の）
２３  外枠
２４  支持軸（スプールの）
２５  ベアリング
２６  （長い）筒体
２６ａ  隔壁
２６ｂ  スリット
２６ｃ  小区画部分
２６ｄ  大区画部分
２７  鍔
２８  栓
２９  軸受け構成部材
３０  長い区画部
３１  短い区画部
３２  支持軸
３３  摺動支持軸
３４  スプリング
３５  コイルスプリング
３６  （テーパーコーン状の）カラー
３７  ラチェットホイール
３８  爪
３９  チェン
４０  桟
４１  スライドシュー
４２  引っ掛け部材
４３  引っ掛け爪
４４  基枠
４４ｂ  ロッド
４５  コイルスプリング
４６  外筒
４７  ロッド
４８  横桟
４９  縦桟
５０ａ，５０ｂ  遮光板
５１ａ，５１ｂ  嵌め込み部
５２  フェルト
５３  制動板
５４  扁平部材
５５  切り欠き
５６  反り返り防止兼斜光遮断板
Ｋ１，Ｋ２  鉤部
Ｐ１，Ｐ２  支点
Ｂ  目隠し
Ｃ  切り込み
【図１】
2009121212.tif 000003
【図２】
2009121212.tif 000004
【図３】
2009121212.tif 000005
【図４】
2009121212.tif 000006
【図５】
2009121212.tif 000007
【図６】
2009121212.tif 000008
【図７】
2009121212.tif 000009
【図８】
2009121212.tif 000010
【図９】
2009121212.tif 000011
【図１０】
2009121212.tif 000012